(57)【特許請求の範囲】
【請求項１】
端末に対する通信リソースを管理するＰＦサーバと前記端末の認証を行うＡＡＡ（Authentication Authorization Accounting）サーバとを有するＣＳＮ（Connectivity Service Network）と、
前記端末が無線接続する基地局を有し前記ＣＳＮと接続するＡＳＮ（Access Service Network）と、
を有するＷｉＭＡＸ通信システムを複数備え、
一のＷｉＭＡＸ通信システムと他のＷｉＭＡＸ通信システムとは、異なるネットワークサービスプロバイダが所有し、
前記一のＷｉＭＡＸ通信システム又は前記他のＷｉＭＡＸ通信システムの各ＰＦサーバの少なくともいずれか一方が前記端末の識別符号と前記端末が前記基地局との間で生成されるサービスフローの識別子であるサービスフロー識別子との対応関係を定めるテーブルを有し、
前記一のＷｉＭＡＸ通信システムと契約している前記端末が、前記他のＷｉＭＡＸ通信システムにおいてネットワークエントリする場合に、前記他のＷｉＭＡＸ通信システム内のＡＡＡサーバが、前記端末の認証を行う前記一のＷｉＭＡＸ通信システム内のＡＡＡサーバを特定し、
前記一のＷｉＭＡＸ通信システム内のＡＡＡサーバが、前記端末を認証した場合に、前記テーブルを有するＰＦサーバによって、前記サービスフロー識別子が割り当てられる
ことを特徴とするＷｉｍａｘローミング通信システム。
【請求項２】
請求項１記載のＷｉｍａｘローミング通信システムにおいて、
前記他のＷｉＭＡＸ通信システムが、前記他のＷｉＭＡＸ通信システム内のＰＦサーバが前記テーブルを備えることを特徴とするＷｉｍａｘローミング通信システム。
【請求項３】
請求項１記載のＷｉｍａｘローミング通信システムにおいて、
前記他のＷｉＭＡＸ通信システムが、前記一のＷｉＭＡＸ通信システム内のＰＦサーバが前記テーブルを備えることを特徴とするＷｉｍａｘローミング通信システム。
【発明の詳細な説明】
【技術分野】
【０００１】
本発明は、端末に対する通信リソースを管理するＰＦサーバと前記端末の認証を行うＡＡＡサーバとを有するＣＳＮと、前記端末が無線接続する基地局を有し前記ＣＳＮと接続するＡＳＮと、を有するＷｉＭＡＸ通信システムを複数備えるＷｉｍａｘローミング通信システムに関する。
【背景技術】
【０００２】
次世代の高速移動体通信方式としてＷｉＭＡＸ(Worldwide Interoperability for Microwave Access)が国際的に注目を集め、このシステムの導入が開始されている。
【０００３】
このＷｉｍａｘ通信システム１００は、図８に示されるようにＡＳＮ（Access Service Network）１０２ａ、１０２ｂと、ＣＳＮ（Connectivity Service Network）１０４とを備え、通信機能を有するコンピュータや携帯電話等である端末（ＭＳ）１２ａ〜１２ｄは、ＡＳＮ１０２ａ、０２ｂと接続して通信を行うことができる（非特許文献１、２参照）。
【０００４】
ＡＳＮ１０２ａは、端末１２ａ、１２ｂと無線接続する基地局１４ａ、１４ｂと、ＱｏＳ（Quality of Service）管理等を行うＡＳＮＧＷ（Access Service Network-Gateway）１０６ａとを備え、ＡＳＮ１０２ｂもＡＳＮ１０２ａと同様に基地局１４ｃ、１４ｄと、ＡＳＮＧＷ１０６ｂとを備える。ＣＳＮ１０４は、ＰＦ（Policy Function）サーバ、ＡＡＡ（Authentication Authorization Accounting）サーバ、ＤＨＣＰ（Dynamic Host Configuration Protocol）サーバを備える。
【０００５】
Ｗｉｍａｘ通信システム１００では、端末１２ａと基地局１４ａ間、端末１２ｂと基地局１４ｂ間、端末１２ｃと基地局１４ｃ間、端末１２ｄと基地局１４ｄ間のそれぞれにおいて、ＱｏＳ特性の異なるサービスの流れに対応したコネクションであるサービスフロー（SF:Service Flow）が生成される。このサービスフローの識別子であるサービスフロー識別子（SFID：Service Flow Identifier）は、ＡＳＮＧＷ１０６ａ、１０６ｂによって割り当てられ、ＡＳＮＧＷ１０６ａ、１０６ｂの配下の端末１２ａ、１２ｂ又は端末１２ｃ、１２ｄに対しては、サービスフロー識別子が異なるサービスフローが生成される。従って、端末が移動し、無線接続先である基地局を変更するハンドオーバをする場合であっても、同一ＡＳＮ内であれば、サービスフロー識別子の重複が起こらないので、ハンドオーバが問題なく行われる。
【先行技術文献】
【非特許文献】
【０００６】
【非特許文献１】WiMAX Forum Network Architecture (Stage2:Architecture Tenets, Reference Model and Reference Points) [Part2] IMPLEMENTATION DRAFT  ２００８年５月８日  p.148-149
【非特許文献２】WiMAX Forum Network Architecture (Stage3:Detailed Protocols and Procedures)  IMPLEMENTATION DRAFT  ２００８年５月８日  p.41-43
【発明の概要】
【発明が解決しようとする課題】
【０００７】
しかしながら、異なるネットワークサービスプロバイダが所有するＷｉｍａｘ通信システムにおいて、いわゆるローミングサービスによる通信を行う場合には、ローミング先において、本来割り当てられるべきサービスフロー識別子が既に割り当てられていた場合には、ローミング先のＷｉｍａｘローミング通信システムに対してネットワークエントリができず、結果としてハンドオーバが確立しない。
【０００８】
本発明は、上記の課題を考慮してなされたものであって、ローミングサービスにおける通信において、同一のサービスフロー識別子であるサービスフローが生成されるのを防ぐことが可能なＷｉｍａｘローミング通信システムを提供することを目的とする。
【課題を解決するための手段】
【０００９】
本発明に係るＷｉｍａｘローミング通信システムは、端末に対する通信リソースを管理するＰＦサーバと前記端末の認証を行うＡＡＡ（Authentication Authorization Accounting）サーバとを有するＣＳＮ（Connectivity Service Network）と、前記端末が無線接続する基地局を有し前記ＣＳＮと接続するＡＳＮ（Access Service Network）と、を有するＷｉＭＡＸ通信システムを複数備え、一のＷｉＭＡＸ通信システムと他のＷｉＭＡＸ通信システムとは、異なるネットワークサービスプロバイダが所有し、前記一のＷｉＭＡＸ通信システム又は前記他のＷｉＭＡＸ通信システムの各ＰＦサーバの少なくともいずれか一方が前記端末の識別符号と前記端末が前記基地局との間で生成されるサービスフローの識別子であるサービスフロー識別子との対応関係を定めるテーブルを有し、前記一のＷｉＭＡＸ通信システムと契約している前記端末が、前記他のＷｉＭＡＸ通信システムにおいてネットワークエントリする場合に、前記他のＷｉＭＡＸ通信システム内のＡＡＡサーバが、前記端末の認証を行う前記一のＷｉＭＡＸ通信システム内のＡＡＡサーバを特定し、前記一のＷｉＭＡＸ通信システム内のＡＡＡサーバが、前記端末を認証した場合に、前記テーブルを有するＰＦサーバによって、前記サービスフロー識別子が割り当てられることを特徴とする。
【００１０】
前記Ｗｉｍａｘローミング通信システムにおいて、前記他のＷｉＭＡＸ通信システムが、前記他のＷｉＭＡＸ通信システム内のＰＦサーバが前記テーブルを備えることを特徴とする。
【００１１】
前記Ｗｉｍａｘローミング通信システムにおいて、前記他のＷｉＭＡＸ通信システムが、前記一のＷｉＭＡＸ通信システム内のＰＦサーバが前記テーブルを備えることを特徴とする。
【発明の効果】
【００１２】
本発明のＷｉｍａｘローミング通信システムによれば、ＰＦサーバがテーブルを備え、前記テーブルを参照して、認証ユーザアカウント毎にサービスフロー識別子を割り当てることにより、ローミングサービスにおける通信において、同一のサービスフロー識別子であるサービスフローが生成されるのを防ぐことができる。
【図面の簡単な説明】
【００１３】
【図１】本発明の第１実施形態に係るＷｉｍａｘ通信システムの説明図である。
【図２】ＰＦサーバが備えるテーブルの説明図である。
【図３】サービスフロー識別子の割り当て手順についての説明図である。
【図４】本発明の第２実施形態に係るＷｉｍａｘローミング通信システムの説明図である。
【図５】本発明の第２実施形態におけるサービスフロー識別子の割り当て手順についての説明図である。
【図６】本発明の第３実施形態に係るＷｉｍａｘローミング通信システムの説明図である。
【図７】本発明の第３実施形態におけるサービスフロー識別子の割り当て手順についての説明図である。
【図８】従来の一般的なＷｉｍａｘ通信システムの説明図である。
【発明を実施するための形態】
【００１４】
以下、本発明の実施形態について図面を参照して説明する。図１は、本発明の第１実施形態に係るＷｉｍａｘ通信システムの説明図であり、図２は、ＰＦサーバ２２が備えるテーブルＴの説明図であり、図３は、サービスフロー識別子の割り当て手順についての説明図である。なお、図８に示したＷｉｍａｘ通信システム１００と同一の構成要素には同一の符号を付し、その詳細な説明を省略する。
【００１５】
Ｗｉｍａｘ通信システム１０は、ＡＳＮ１６ａ、１６ｂと、ＣＳＮ１８とを備える。
【００１６】
ＡＳＮ１６ａは、端末１２ａと無線接続する基地局１４ａと、端末１２ｂと無線接続する基地局１４ｂと、ＱｏＳの管理等を行うＡＳＮＧＷ２０ａとを備える。また、ＡＳＮ１６ｂは、ＡＳＮ１６ａと同様の構成であって、基地局１４ｃ、１４ｄと、ＡＳＮＧＷ２０ｂとを備える。
【００１７】
ＣＳＮ１８は、端末に対する通信リソースを管理するＰＦサーバ２２と、端末の認証や課金情報の収集・管理を行うＡＡＡサーバ２４と、端末へＩＰアドレスを割り当て、管理をするＤＨＣＰサーバ２６とを備える。ＰＦサーバ２２は、図２に示す、端末の識別符号であって、ユーザ名とパスワードとからなる認証ユーザアカウントと、前記認証ユーザアカウントに対して割り当てられるサービスフロー識別子（SFID）との関係を規定するテーブルＴを備える。
【００１８】
次に、端末１２ｂに対するサービスフロー識別子の割り当てについて説明する。なお、端末１２ａ、１２ｃ、１２ｄに対するサービスフロー識別子の割り当ても同様に行われる。
【００１９】
端末１２ｂに対するサービスフロー識別子の割り当ては、基地局１４ｂの配下としてネットワークエントリされる過程において行われる。端末１２ｂがＡＡＡサーバ２４において認証を受けるために、「Calling Station Id」（ＭＡＣアドレス）及び認証ユーザアカウントを含めたメッセージ「Radius Access Request」が、基地局１４ｂを介してＡＳＮＧＷ２０ａからＡＡＡサーバ２４に送信される（ステップＳ１）。
【００２０】
ＡＡＡサーバ２４は、受信したメッセージ「Radius Access Request」内の「Calling Station Id」と認証ユーザアカウントとの少なくともいずれか一方に基づいて、端末１２ｂの認証の可否を行う。ＡＡＡサーバ２４は、端末１２ｂを認証した場合には、ＰＦサーバ２２に対して、認証ユーザアカウントとともにＱｏＳプロファイルの提供を求めるためのメッセージ「Request」を送信する（ステップＳ２）。
【００２１】
ＰＦサーバ２２は、受信した認証ユーザアカウントをテーブルＴと照合して、サービスフロー識別子を決定し、決定したサービスフロー識別子とともに、求められたＱｏＳプロファイルをＡＡＡサーバ２４に送信する（ステップＳ３）。例えば、端末１２ｂの認証ユーザアカウントが「Ｘ１」の場合には、サービスフロー識別子として「ＳＦＩＤ１」が割り当てられ、ＱｏＳプロファイルととものにＡＡＡサーバ２４に送信される。
【００２２】
ＡＡＡサーバ２４は、受信したサービスフロー識別子及びＱｏＳプロファイルとともにRadius認証パケットである「Radius Access Accept」をＡＳＮＧＷ２０ａに送信し、ＡＳＮＧＷ２０ａは、メッセージ「ＥＡＰ」を抽出して基地局１４ｂに送信する（ステップＳ４）。
【００２３】
基地局１４ｂは、受信したメッセージ「ＥＡＰ」に基づいて、端末１２ｂとの間でサービスフローを生成する。端末１２ｂは、基地局１４ｂから基地局１４ｃにハンドオーバした場合であっても、端末１２ｂに割り当てられるサービスフロー識別子が他の端末に割り当てられることがないので、ハンドオーバを確立することができる。
【００２４】
Ｗｉｍａｘ通信システム１０では、ＰＦサーバ２２がテーブルＴを備え、テーブルＴを参照して、認証ユーザアカウント毎に異なるサービスフロー識別子を割り当てることにより、同一のサービスフロー識別子であるサービスフローが生成されるのを防ぐことができる。これにより、Ｗｉｍａｘ通信システム１０の全体のパフォーマンスを低下することなく、端末１２ｂは、ＡＳＮ１６ａからＡＳＮ１６ｂへと、異なるＡＳＮを跨ぐハンドーオーバを確立することができる。
【００２５】
また、テーブルＴにおいて、認証ユーザアカウントと、サービスフロー識別子との関係を規定することにより、ユーザが複数台の端末を有する場合であっても、サービスフローを一元的に管理することができる。
【００２６】
＜ローミングサービスにおけるＳＦＩＤ割り当て（１）＞
次に、本発明の第２実施形態について図面を参照して説明する。図４は、本発明の第２実施形態に係るＷｉｍａｘローミング通信システム３０の説明図であり、図５は、サービスフロー識別子の割り当て手順についての説明図である。なお、図１、図８に示したＷｉｍａｘ通信システム１０、１００と同一の構成要素には同一の符号を付し、その詳細な説明を省略する。
【００２７】
Ｗｉｍａｘローミング通信システム３０は、ＡＳＮ１６ａ、１６ｂと、ＣＳＮ３２、３４、広域通信網３６とを備える。
【００２８】
ＣＳＮ３２は、VisitedＰＦサーバ３８と、VisitedＡＡＡサーバ４０と、VisitedＤＨＣＰサーバ４２とを備え、ＣＳＮ３４は、HomeＰＦサーバ４４と、HomeＡＡＡサーバ４６と、HomeＤＨＣＰサーバ４８とを備える。
【００２９】
VisitedＰＦサーバ３８は、ＰＦサーバ２２と同様のテーブルＴを備え、ＰＦサーバ２２のテーブルＴの規定内容に加えて、ローミングサービスによる通信を求める各端末に対して割り当てるためのサービスフロー識別子も規定されている。
【００３０】
VisitedＡＡＡサーバ４０は、端末の認証や課金情報の収集・管理を行うサーバであって、後述する「Radius Access Request」内の認証レルム(realm)に基づいて、端末が契約するネットワークサービスプロバイダを判断する機能を備える。また、端末が、VisitedＡＡＡサーバ４０が構成するネットワークサービスプロバイダのシステム以外のネットワークサービスプロバイダと契約していると判断した場合に、その旨をVisitedＰＦサーバ３８に通知する機能を備えるとともに、前記端末の認証先のＡＡＡサーバリストを備える。
【００３１】
VisitedＤＨＣＰサーバ４２とHomeＤＨＣＰサーバ４８とは、ＤＨＣＰサーバ２６と同一の構成である。HomeＰＦサーバ４４は、端末に対する通信リソースを管理するサーバではあるが、ＰＦサーバ２２と異なりテーブルＴを備えない。HomeＡＡＡサーバ４６は、ＡＡＡサーバ２４と同一の構成である。
【００３２】
Ｗｉｍａｘローミング通信システム３０は、ＡＳＮ１６ａとＣＳＮ３２とから構成されるVisitedＷｉｍａｘ通信システムＶ１（他のＷｉＭＡＸ通信システム）と、ＡＳＮ１６ｂとＣＳＮ３４とから構成されるHomeＷｉｍａｘ通信システムＨ１（一のＷｉＭＡＸ通信システム）とから構成される。VisitedＷｉｍａｘ通信システムＶ１と、HomeＷｉｍａｘ通信システムＨ１とは異なるネットワークサービスプロバイダが所有する。ＣＳＮ３２とＣＳＮ３４とは、インターネット等で構成される広域通信網３６を介して接続されている。
【００３３】
次に、HomeＷｉｍａｘ通信システムＨ１のネットワークサービスプロバイダと契約している端末１２ｃが、契約していないネットワークサービスプロバイダのVisitedＷｉｍａｘ通信システムＶ１を利用して通信する、いわゆるローミングサービスによる通信をする場合における端末１２ｃに対するサービスフロー識別子の割り当てについて説明する。なお、端末１２ｄがローミングサービスによる通信をする場合のサービスフロー識別子の割り当てについても同様に行われる。
【００３４】
端末１２ｃに対するサービスフロー識別子の割り当ては、基地局１４ｂの配下としてネットワークエントリされる過程において行われる。端末１２ｃがHomeＡＡＡサーバ４６において認証を受けるために、「Calling Station Id」及び認証ユーザアカウントを含めたメッセージ「Radius Access Request」が、基地局１４ｂを介してＡＳＮＧＷ２０ａからVisitedＡＡＡサーバ４０に送信される（ステップＳ１１）。
【００３５】
VisitedＡＡＡサーバ４０は、メッセージ「Radius Access Request」内の認証レルムから契約先であるネットワークサービスプロバイダを特定し、端末１２ｃはHomeＷｉｍａｘ通信システムＨ１のネットワークサービスプロバイダと契約している旨をメッセージ「Request」としてVisitedＰＦサーバ３８に送信する（ステップＳ１２）。また、VisitedＡＡＡサーバ４０は、前記認証レルムから端末１２ｃの認証先であるHomeＡＡＡサーバ４６を特定し、HomeＡＡＡサーバ４６にメッセージ「Radius Access Request」を転送する（ステップＳ１３）。
【００３６】
VisitedＰＦサーバ３８は、受信したメッセージ「Request」をテーブルＴと照合して、サービスフロー識別子を決定し、決定したサービスフロー識別子とともに、求められたＱｏＳプロファイルをVisitedＡＡＡサーバ４０に送信する（ステップＳ１４）。
【００３７】
HomeＡＡＡサーバ４６は、受信したメッセージ「Radius Access Request」内の「Calling Station Id」と認証ユーザアカウントとの少なくともいずれか一方に基づいて、端末１２ｃの認証の可否を行う。HomeＡＡＡサーバ４６は、端末１２ｃを認証した場合にはRadius認証パケット「Radius Access Accept」をVisitedＡＡＡサーバ４０に送信する（ステップＳ１５）。
【００３８】
VisitedＡＡＡサーバ４０は、HomeＡＡＡサーバ４６から前記「Radius Access Accept」を受信した場合には、VisitedＰＦサーバ３８から受信したサービスフロー識別子及びＱｏＳプロファイルを前記「Radius Access Accept」とともにＡＳＮＧＷ２０ａに送信し、ＡＳＮＧＷ２０ａは、メッセージ「ＥＡＰ」を抽出して基地局１４ｂに送信する（ステップＳ１６）。
【００３９】
基地局１４ｂは、受信したメッセージ「ＥＡＰ」に基づいて、端末１２ｃとの間でサービスフローを生成する。
【００４０】
なお、VisitedＡＡＡサーバ４０は、HomeＡＡＡサーバ４６からメッセージ「Radius Access Reject」を受信した場合には、VisitedＰＦサーバ３８から受信したサービスフロー識別子及びＱｏＳプロファイルを破棄する。
【００４１】
Ｗｉｍａｘローミング通信システム３０では、VisitedＰＦサーバ３８がテーブルＴを備え、テーブルＴを参照して、認証ユーザアカウント毎にサービスフロー識別子を割り当てることにより、ローミングサービスにおける通信において、同一のサービスフロー識別子であるサービスフローが生成されるのを防ぐことができる。
【００４２】
＜ローミングサービスにおけるＳＦＩＤ割り当て（２）＞
次に、本発明の第３実施形態について図面を参照して説明する。図６は、本発明の第３実施形態に係るＷｉｍａｘローミング通信システム５０の説明図であり、図７は、サービスフロー識別子の割り当て手順についての説明図である。なお、図１、図４、図８に示したＷｉｍａｘ通信システム１０、３０、１００と同一の構成要素には同一の符号を付し、その詳細な説明を省略する。
【００４３】
Ｗｉｍａｘローミング通信システム５０は、ＡＳＮ１６ａ、１６ｂと、ＣＳＮ５２と、ＣＳＮ５４と、広域通信網３６とを備える。
【００４４】
ＣＳＮ５２は、VisitedＰＦサーバ５８と、VisitedＡＡＡサーバ６０と、VisitedＤＨＣＰサーバ６２とを備え、ＣＳＮ５４は、HomeＰＦサーバ６４と、HomeＡＡＡサーバ６６、HomeＤＨＣＰサーバ６８とを備える。
【００４５】
VisitedＰＦサーバ５８は、端末に対する通信リソースを管理するサーバであるが、ＰＦサーバ２２と異なりテーブルＴを備えていない。
【００４６】
VisitedＡＡＡサーバ６０は、VisitedＡＡＡサーバ４０と同様のサーバであるが、端末が、VisitedＡＡＡサーバ４０が構成するネットワークサービスプロバイダのシステム以外のネットワークサービスプロバイダと契約していると判断した場合に、VisitedＰＦサーバ３８に対してメッセージ「Request」を送信する機能を備えてなくてもよい。
【００４７】
VisitedＤＨＣＰサーバ６２とHomeＤＨＣＰサーバ６８とは、ＤＨＣＰサーバ２６と同一の構成である。HomeＰＦサーバ６４は、ＰＦサーバ２２と同様のテーブルＴを備え、ＰＦサーバ２２のテーブルＴの規定内容に加えて、ローミングサービスによる通信を求める各端末に対して割り当てるためのサービスフロー識別子も規定されている。なお、テーブルＴは、ＡＳＮ１６ａのＡＳＮＧＷ２０ａで割り当てられるサービスフロー識別子と重複しないように規定される。HomeＡＡＡサーバ６６は、VisitedＡＡＡサーバ４０と同一構成のサーバである。
【００４８】
また、Ｗｉｍａｘローミング通信システム５０では、ＡＳＮ１６ａとＣＳＮ５２とから構成されるVisitedＷｉｍａｘ通信システムＶ２（他のＷｉＭＡＸ通信システム）と、ＡＳＮ１６ｂとＣＳＮ５４とから構成されるHomeＷｉｍａｘ通信システムＨ２（一のＷｉＭＡＸ通信システム）とから構成される。VisitedＷｉｍａｘ通信システムＶ２と、HomeＷｉｍａｘ通信システムＨ２とは異なるネットワークサービスプロバイダが所有する。ＣＳＮ５２とＣＳＮ５４とは、広域通信網３６を介して接続されている。
【００４９】
次に、HomeＷｉｍａｘ通信システムＨ２のネットワークサービスプロバイダと契約している端末１２ｃが、契約していないネットワークサービスプロバイダのVisitedＷｉｍａｘ通信システムＶ２を利用して通信する場合における端末１２ｃに対するサービスフロー識別子の割り当てについて説明する。なお、端末１２ｄがローミングサービスによる通信をする場合のサービスフロー識別子の割り当てについても同様に行われる。
【００５０】
端末１２ｃに対するサービスフロー識別子の割り当ては、基地局１４ｂの配下としてネットワークエントリされる過程において行われる。端末１２ｃが、HomeＡＡＡサーバ４６において、認証を受けるために、「Calling Station Id」及び認証ユーザアカウントを含めたメッセージ「Radius Access Request」が、基地局１４ｂを介してＡＳＮＧＷ２０ａからVisitedＡＡＡサーバ６０に送信される（ステップＳ２１）。
【００５１】
VisitedＡＡＡサーバ６０は、メッセージ「Radius Access Request」内の認証レルムから契約先であるネットワークサービスプロバイダを特定し、端末１２ｃの認証先であるHomeＡＡＡサーバ６６を特定し、HomeＡＡＡサーバ６６にメッセージ「Radius Access Request」を転送する（ステップＳ２２）。
【００５２】
HomeＡＡＡサーバ６６は、受信したメッセージ「Radius Access Request」内の「Calling Station Id」と認証ユーザアカウントとの少なくともいずれか一方に基づいて、端末１２ｃの認証の可否を行う。HomeＡＡＡサーバ６６は、端末１２ｃを認証した場合にはメッセージ「Request」をHomeＰＦサーバ６４に送信する（ステップＳ２３）。
【００５３】
HomeＰＦサーバ６４は、受信したメッセージ「Request」をテーブルＴと照合して、サービスフロー識別子を決定し、決定したサービスフロー識別子とともに、求められたＱｏＳプロファイルをHomeＡＡＡサーバ６６に送信する（ステップＳ２４）。
【００５４】
HomeＡＡＡサーバ６６は、受信したサービスフロー識別子及びＱｏＳプロファイルとともにRadius認証パケット「Radius Access Accept」をVisitedＡＡＡサーバ６０に送信する（ステップＳ２５）。
【００５５】
VisitedＡＡＡサーバ６０は、受信したサービスフロー識別子、ＱｏＳプロファイル及び前記「Radius Access Accept」をＡＳＮＧＷ２０ａに送信し、ＡＳＮＧＷ２０ａは、メッセージ「ＥＡＰ」を抽出して基地局１４ｂに送信する（ステップＳ２６）。
【００５６】
基地局１４ｂは、受信したメッセージ「ＥＡＰ」に基づいて、端末１２ｂとの間でサービスフローを生成する。
【００５７】
Ｗｉｍａｘローミング通信システム５０では、HomeＰＦサーバ６４がテーブルＴを備え、テーブルＴを参照して、認証ユーザアカウント毎にサービスフロー識別子を割り当てることにより、ローミングサービスにおける通信において、同一のサービスフロー識別子であるサービスフローが生成されるのを防ぐことができる。
【００５８】
なお、本発明は、上述の実施形態に限らず、本発明の要旨を逸脱することなく、種々の構成を採り得ることはもちろんである。
【００５９】
例えば、テーブルＴは、認証ユーザアカウントと、前記認証ユーザアカウントに対して割り当てられるサービスフロー識別子との関係を規定しているが、端末を特定できる識別符号であれば、これに限定されるものではなく、端末のＭＡＣアドレスであってもよい。
【符号の説明】
【００６０】
１０、１００…Ｗｉｍａｘ通信システム
１２ａ〜１２ｄ…端末
１４ａ〜１４ｄ…基地局
１６ａ、１６ｂ…ＡＳＮ
１８、３２、３４、５２、５４…ＣＳＮ
２０ａ、２０ｂ…ＡＳＮＧＷ
２２…ＰＦサーバ
２４…ＡＡＡサーバ
２６…ＤＨＣＰサーバ
３０、５０…Ｗｉｍａｘローミング通信システム
３６…広域通信網
３８、５８…VisitedＰＦサーバ
４０、６０…VisitedＡＡＡサーバ
４２、６２…VisitedＤＨＣＰサーバ
４４、６４…HomeＰＦサーバ
４６、６６…HomeＡＡＡサーバ
４８、６８…HomeＤＨＣＰサーバ
Ｔ…テーブル
Ｈ１、Ｈ２…HomeＷｉｍａｘ通信システム
Ｖ１、Ｖ２…VisitedＷｉｍａｘ通信システム
【図１】
0005390451.tif 000002
【図２】
0005390451.tif 000003
【図３】
0005390451.tif 000004
【図４】
0005390451.tif 000005
【図５】
0005390451.tif 000006
【図６】
0005390451.tif 000007
【図７】
0005390451.tif 000008
【図８】
0005390451.tif 000009